(57)【要約】【課題】隙間への媒体の入り込みを防ぎ、媒体を整位した状態で集積することが可能な媒体処理装置を提供する。【解決手段】媒体を集積方向に沿って集積する集積部と、前記媒体を前記集積部へ搬送する搬送部と、前記搬送の際、前記媒体を、上から叩いて前記集積部へ叩き落す羽根車と、前記集積部の前記搬送部側に設けられた、集積された前記媒体の短手方向の一端と当接する凹凸状プレートとを備える、媒体処理装置を提供する。【選択図】図５
2018052669.tif 000002
【特許請求の範囲】
【請求項１】
媒体を集積方向に沿って集積する集積部と、
前記媒体を前記集積部へ搬送する搬送部と、
前記搬送の際、前記媒体を、上から叩いて前記集積部へ叩き落す羽根車と、
前記集積部の前記搬送部側に設けられた、集積された前記媒体の短手方向の一端と当接する凹凸状プレートと、
を備える、媒体処理装置。
【請求項２】
前記凹凸状プレートは、柱状の部材であって、
前記凹凸状プレートの長手方向は前記集積方向に沿っており、
前記凹凸状プレートの、前記集積された媒体の短手方向の一端と当接する面には、第１の凹凸部が設けられている、
請求項１に記載の媒体処理装置。
【請求項３】
前記集積方向に対して垂直な方向に切断した場合の前記柱状の部材の断面は、多角形、円、又は楕円状である、請求項２に記載の媒体処理装置。
【請求項４】
前記集積部は、前記媒体を載置する集積台を有し、
前記集積台は、載置する前記媒体の数に応じて前記集積方向に沿って移動する、請求項１から３のいずれか１つに記載の媒体処理装置。
【請求項５】
前記凹凸状プレートは、前記集積された媒体の短手方向において前記搬送部と前記集積台との間の位置に設けられる、請求項４に記載の媒体処理装置。
【請求項６】
前記羽根車は、第１の回転軸と、当該第１の回転軸に連結する複数の舌片とを有し、
前記凹凸状プレートは、前記集積された媒体の長手方向において前記舌片と隣接する位置に設けられる、請求項１から５のいずれか１つに記載の媒体処理装置。
【請求項７】
前記集積部の前記搬送部とは反対側に設けられた、前記集積された媒体の短手方向の他端と当接する短手整位部材をさらに備え、
前記凹凸状プレートは、前記集積された媒体の長手方向において、前記短手整位部材の設置位置とは重ならないように設けられる、
請求項１から６のいずれか１つに記載の媒体処理装置。
【請求項８】
前記凹凸状プレートを複数個備える、請求項１から７のいずれか１つに記載の媒体処理装置。
【請求項９】
回転して、前記集積された媒体の長手方向の一端と当接する長手整位部材をさらに備え、
前記長手整位部材と連結された第２の回転軸は、前記集積部に対して、前記集積された媒体の長手方向の一端側に設けられている、
請求項１から８のいずれか１つに記載の媒体処理装置。
【請求項１０】
前記凹凸状プレートの、前記長手整位部材からの押圧により前記長手整位部材の回転方向に沿って移動する前記媒体と当接する面に、第２の凹凸部が設けられている、
請求項９に記載の媒体処理装置。
【請求項１１】
前記凹凸状プレートは、四角柱状の形状を持ち、
前記凹凸状プレートの、前記搬送部とは反対側に位置する２つの角の少なくとも一方には、前記集積された媒体の短手方向の一端に対して傾いた面である面取部が設けられており、
前記面取部には、第２の凹凸部が設けられている、
請求項９に記載の媒体処理装置。
【発明の詳細な説明】
【技術分野】
【０００１】
本発明は、媒体処理装置に関する。
【背景技術】
【０００２】
金融機関や店舗等において、紙幣処理装置（媒体処理装置）が利用されている。紙幣処理装置は、媒体としての紙幣の金種（例えば、一万円札、５千円札等）を鑑別し、紙幣を金種ごとに集積部に集積する。さらに、紙幣処理装置は、同じ金種の紙幣を所定数（施封枚数）ごとに施封して、紙幣束（媒体束）を作成し、作成した紙幣束を排出する。このような紙幣処理装置としては、例えば、下記の特許文献１を挙げることができる。
【０００３】
上述のような紙幣処理装置においては、搬送路により搬送された紙幣は、集積部の入口に設けられた羽根車の舌片に叩き落されるようにして、集積部内の集積ステージ上に集積される。この際、集積部に設けられた整位部材により、紙幣の長手方向の向きも短手方向の向きも所定の方向に向くようにガイドされ、紙幣は整位された状態（集積された複数の紙幣が紙幣の長手方向も短手方向も所定の方向を向いた状態）で集積ステージ上に集積される。また、集積ステージは、当該集積ステージ上に集積された紙幣の数に応じて、上下方向に移動するように構成されている。
【先行技術文献】
【特許文献】
【０００４】
【特許文献１】特開２０１４−２２３９５７号公報
【発明の概要】
【発明が解決しようとする課題】
【０００５】
しかし、集積ステージが上下方向に移動することから、搬送部と集積ステージとの間に隙間がある。そのため、紙幣（媒体）が搬送部から叩き落される際に、当該隙間に紙幣が入り込むことから、整位した状態で紙幣が集積ステージ上に集積できないという問題があった。
【０００６】
そこで、本発明は、上記問題に鑑みてなされたものであり、本発明の目的とするところは、隙間への媒体（紙幣）の入り込みを防ぎ、媒体（紙幣）を整位した状態で集積することが可能な、新規かつ改良された媒体処理装置を提供することにある。
【課題を解決するための手段】
【０００７】
上記課題を解決するために、本発明のある観点によれば、媒体を集積方向に沿って集積する集積部と、前記媒体を前記集積部へ搬送する搬送部と、前記搬送の際、前記媒体を、上から叩いて前記集積部へ叩き落す羽根車と、前記集積部の前記搬送部側に設けられた、集積された前記媒体の短手方向の一端と当接する凹凸状プレートと、を備える、媒体処理装置が提供される。
【０００８】
前記凹凸状プレートは、柱状の部材であって、前記凹凸状プレートの長手方向は前記集積方向に沿っており、前記凹凸状プレートの、前記集積された媒体の短手方向の一端と当接する面には、第１の凹凸部が設けられていてもよい。
【０００９】
前記集積方向に対して垂直な方向に切断した場合の前記柱状の部材の断面は、多角形、円、又は楕円状であってもよい。
【００１０】
前記集積部は、前記媒体を載置する集積台を有し、前記集積台は、載置する前記媒体の数に応じて前記集積方向に沿って移動してもよい。
【００１１】
前記凹凸状プレートは、前記集積された媒体の短手方向において前記搬送部と前記集積台との間の位置に設けられていてもよい。
【００１２】
前記羽根車は、第１の回転軸と、当該第１の回転軸に連結する複数の舌片とを有し、前記凹凸状プレートは、前記集積された媒体の長手方向において前記舌片と隣接する位置に設けられてもよい。
【００１３】
前記媒体処理装置は、前記集積部の前記搬送部とは反対側に設けられた、前記集積された媒体の短手方向の他端と当接する短手整位部材をさらに備え、前記凹凸状プレートは、前記集積された媒体の長手方向において、前記短手整位部材の設置位置とは重ならないように設けられていてもよい。
【００１４】
前記媒体処理装置は、前記凹凸状プレートを複数個備えてもよい。
【００１５】
前記媒体処理装置は、回転して、前記集積された媒体の長手方向の一端と当接する長手整位部材をさらに備え、前記長手整位部材と連結された第２の回転軸は、前記集積部に対して、前記集積された媒体の長手方向の一端側に設けられていてもよい。
【００１６】
前記凹凸状プレートの、前記長手整位部材からの押圧により前記長手整位部材の回転方向に沿って移動する前記媒体と当接する面に、第２の凹凸部が設けられていてもよい。
【００１７】
前記凹凸状プレートは、四角柱状の形状を持ち、前記凹凸状プレートの、前記搬送部とは反対側に位置する２つの角の少なくとも一方には、前記集積された媒体の短手方向の一端に対して傾いた面である面取部が設けられており、前記面取部には、第２の凹凸部が設けられていてもよい。
【発明の効果】
【００１８】
以上説明したように本発明によれば、隙間への媒体（紙幣）の入り込みを防ぎ、媒体（紙幣）を整位した状態で集積することが可能である。
【図面の簡単な説明】
【００１９】
【図１】本発明の第１の実施形態に係る紙幣処理装置１０の構成例を示した説明図である。
【図２】第１の実施形態に係る集積部１１０の構成例を示した説明図（断面図）である。
【図３】第１の実施形態に係る集積部１１０の構成例を示した説明図（上面図）である。
【図４】紙幣Ｂの隙間Ｇへの入り込みを説明するための説明図である。
【図５】第１の実施形態に係る後側整位部材２８０の構成例を示した説明図である。
【図６】第１の実施形態に係る後側整位部材２８０ａの他の構成例を示した説明図である。
【図７】第１の実施形態に係る後側整位部材２８０の設置位置を説明するための説明図である。
【図８】第１の実施形態の変形例に係る集積部１１０ａの構成例を示した説明図（上面図）である。
【図９】第２の実施形態に係る後側整位部材２８０ｂの構成例を示した説明図（上面図）である。
【図１０】第２の実施形態に係る後側整位部材２８０ｂの構成例を示した説明図（斜視図）である。
【図１１】第２の実施形態の変形例に係る後側整位部材２８０ｃの構成例を示した説明図である。
【図１２】第２の実施形態の変形例に係る後側整位部材２８０ｄ、ｅの他の構成例を示した説明図である。
【図１３】第３の実施形態に係る集積部１１０の動作を説明するための説明図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
また、本明細書及び図面において、実質的に同一の機能構成を有する複数の構成要素を、同一の符号の後に異なるアルファベットを付して区別する場合もある。例えば、実質的に同一の機能構成または論理的意義を有する複数の構成を、必要に応じてオープンポケット１０６ａ及びオープンポケット１０６ｂのように区別する。ただし、実質的に同一の機能構成を有する複数の構成要素の各々を特に区別する必要がない場合、同一符号のみを付する。例えば、オープンポケット１０６ａ及びオープンポケット１０６ｂを特に区別する必要が無い場合には、単にオープンポケット１０６と称する。
【００２２】
さらに、以下の説明においては、金融機関や店舗等のバックヤードにおいて、紙幣を鑑別して、計数し、鑑別結果に基づいて紙幣を集積し、集積した紙幣を施封枚数ごとに施封する紙幣処理装置に本発明の実施形態を適用した場合について説明する。なお、以下に説明する実施形態は、上述のような紙幣処理装置に適用することに限定されるものではなく、金融機関、店舗等で顧客が取引を行う際に用いる自動取引装置のような紙幣処理装置に適用してもよく、もしくは、店舗や公共施設等で、チケット等の紙状媒体をその種類ごとに分類し、整理し、施封する機構を有する媒体処理装置に適用してもよい。従って、以下に説明する実施形態においては、媒体は紙幣に限定されるものではなく、例えばチケット等であってもよく、特に限定されない。
【００２３】
＜＜第１の実施形態＞＞
＜紙幣処理装置１０の基本構成＞
まずは、第１の実施形態に係る紙幣処理装置１０の基本構成について説明する。紙幣処理装置１０は、紙幣処理装置１０に投入された紙幣を処理するための装置であり、詳細には、紙幣処理装置１０に投入された紙幣を鑑別し、計数し、得られた鑑別結果に基づいて紙幣を金種ごとに集積し、集積された紙幣を施封枚数ごとに施封して、紙幣束の作成し、作成した紙幣束を排出する。また、紙幣処理装置１０は、紙幣を整理して施封する機能だけでなく、紙幣を厳重に保管する金庫としての役割や、紙幣処理装置１０内にある紙幣の量を常に把握、管理する役割を果たすこともできる。図１を参照して、紙幣処理装置１０の基本構成について説明する。図１は、本実施形態に係る紙幣処理装置１０の構成例を示した説明図である。なお、図１においては、紙幣処理装置１０の操作者は、紙幣処理装置１０の左側に位置するものとする。
【００２４】
本実施形態に係る紙幣処理装置１０は、図１に示すように、取込部１００、鑑別部１０２、リジェクトポケット１０４、オープンポケット１０６ａ、１０６ｂ、表裏反転部１０８、集積部１１０、移送部１１２、施封部１１４、搬送部１１６、操作表示部１１８、操作部１２０、記憶部１２２、制御部１２４、扉１２８及び排出口１６０を主に有する。以下に、紙幣処理装置１０の各機能部を説明する。
【００２５】
（取込部１００）
取込部１００は、操作者と向かい合うように設けられ、操作者によって投入された複数の紙幣を取り込む部位である。取込部１００は、例えば、紙幣を収納する収納空間１５４と、ローラ１５０と、収納空間１５４からローラへ紙幣をガイドするガイド１５６と、紙幣をガイド１５６に押し当てるためのビルプレス１５８とを含む。収納空間１５４に投入された紙幣は、ビルプレス１５８によってガイド１５６に押し当てられ、ガイド１５６によってローラ１５０へ押し出され、ローラ１５０が回転することによって、搬送部１１６に一枚ずつ繰り出され、さらに後述する鑑別部１０２へ搬送される。なお、取込部１００は、ビルプレス１５８の移動量を検知するセンサ（図示省略）等を有することによって、紙幣処理装置１０に投入された全ての紙幣の処理の完了（投入完了）を検知することができるように構成してもよい。
【００２６】
（鑑別部１０２）
鑑別部１０２には、その内部にＯＣＲ（Ｏｐｔｉｃａｌ  Ｃｈａｒｃｔｅｒ  Ｒｅｃｏｇｎｉｔｉｏｎ）といったイメージセンサや磁気センサといった真偽センサ等の複数種類のセンサ（図示省略）が組み込まれている。そして、鑑別部１０２は、取込部１００に投入され、鑑別部１０２に搬送された紙幣に対して、例えば紙幣の真偽、金種（紙幣の種類）、正券（例えば、汚れが少ない紙幣）であるか損券（例えば、汚れが多い紙幣）であるかといった紙幣の正損状態、鑑別時における紙幣の表裏の向きを鑑別することができ、その鑑別結果は、後述する記憶部１２２及び制御部１２４に出力される。さらに、鑑別部１０２は、紙幣に記載された記番号を読み取ることもでき、読み取った記番号と紐づけて、上記鑑別結果を記憶部１２２及び制御部１２４に出力してもよい。なお、鑑別部１０２により鑑別された紙幣は、鑑別部１０２から排出され、鑑別結果に基づいて搬送先（例えば各集積部１１０）に搬送される。
【００２７】
（リジェクトポケット１０４）
リジェクトポケット１０４は、本実施形態に係る紙幣排出部の一例である。リジェクトポケット１０４は、鑑別部１０２により金種不明もしくは受付不能と鑑別された紙幣を格納する部位である。図１に示した例においては、リジェクトポケット１０４は、紙幣処理装置１０内の上方に設けられており、リジェクトポケット１０４に格納された紙幣を、操作者が容易に回収することが可能である。
【００２８】
（オープンポケット１０６）
オープンポケット１０６ａ、１０６ｂは、本実施形態における施封対象外紙幣格納部の一例である。鑑別部１０２による鑑別結果が、リジェクトポケット１０４への搬送対象外で、かつ、予め紙幣処理装置１０における施封対象もしくは後述する集積部１１０に集積される集積対象と定められている券種に該当しない場合には、鑑別され、搬送された紙幣は、オープンポケット１０６に格納される。オープンポケット１０６に格納される紙幣としては、例えば、予め施封対象と定められている券種が国内紙幣と定められている場合には、海外紙幣がその一例として挙げられる。また、オープンポケット１０６は、図１に示した例においては、紙幣処理装置１０内の上方に設けられており、格納された紙幣を操作者が容易に回収することが可能である。なお、図１においては、オープンポケット１０６が、オープンポケット１０６ａ、１０６ｂとして２つ設けられているが、本実施形態においては、オープンポケット１０６の数が２つに限定されるものではなく、１つ以上あればよい。
【００２９】
（表裏反転部１０８）
表裏反転部１０８は、例えば、搬送された紙幣のうち裏面が上になっている紙幣に関して、表裏を反転する部位である。このようにすることで、紙幣は、表面が上になる状態で各集積部１１０に集積されることができる。なお、本実施形態においては、表裏反転部１０８は、裏面が上になっている紙幣に対して反転する動作を行うことに限定されるものではなく、逆に、表面が上になっている紙幣に対して反転する動作を行ってもよい。そして、表裏反転部１０８は、基本的には、搬送先が各集積部１１０である紙幣だけが搬送される。
【００３０】
（集積部１１０）
各集積部１１０は、基本的には、鑑別部１０２による鑑別結果が予め施封対象と定められている券種に該当する場合に、鑑別部１０２により鑑別された紙幣が搬送され、かつ、搬送された紙幣を金種ごと及び／又は、正損状態ごとに、集積する部位である。搬送された紙幣は、整位した状態で集積部１１０に集積される。さらに、各集積部１１０は、例えば操作者側に設けられた扉１２８を開けることによって、操作者によって引き出されることができる。扉１２８には、電磁ロック等の施錠機構（図示省略）及び扉１２８の開閉を検知する開閉センサ（図示省略）が設けられており、後述の制御部１２４が、施錠機構及び開閉センサを制御することにより、扉１２８の施錠を制御し、操作者による扉１２８の開閉を検知することができる。また、各集積部１１０は、予め定められた施封枚数（例えば１００枚）まで紙幣を集積することが可能である。そして、各集積部１１０に集積されている紙幣の枚数が施封枚数に達した場合であって、集積された紙幣の券種が施封するように設定された券種である場合には、集積されている紙幣は全て移送部１１２に搬送される。なお、図１の例においては、紙幣処理装置１０内の下方に、５個の集積部１１０が縦一列に設けられているが、本実施形態においては、５個の集積部１１０に限定されるものではなく、集積部１１０は、紙幣処理装置１０内に少なくとも２個以上設けられていればよい。
【００３１】
また、各集積部１１０には、集積された紙幣の容量を検知するための集積部用検知部（図示省略）が設けられていてもよい。集積部用検知部は、例えば光学式センサであることができ、集積部１１０に集積された紙幣によって光が遮られることにより集積された紙幣の容量を検知することができる。なお、集積部１１０の詳細構成については、後で説明する。
【００３２】
（移送部１１２）
移送部１１２は、各集積部１１０から搬送された施封枚数の紙幣を施封部１１４へ移送する部位である。図１においては簡略化して示しているが、移送部１１２は、紙幣処理装置１０内に設けられ、紙幣処理装置１０の内部を図１の上下方向に集積部１１０と施封部１１４との間を移動し、各集積部１１０から施封枚数の紙幣を、２枚の可動板からなるクランプ部１１２ａの２枚の可動板によって挟み込んで、抜き取り、施封部１１４に受け渡す。
【００３３】
（施封部１１４）
施封部１１４は、紙幣処理装置１０内に設けられ、移送部１１２から移送された施封枚数の紙幣に対して例えばテープ（紙帯）を巻き付けて施封することにより、紙幣束を作成する。さらに、施封部１１４は、紙幣束を施封部１１４から、操作者側（図１中では左側）に位置する排出口１６０へ搬送する。この際、施封部１１４は、は、テープＴに制御部１２４の指示に従って標識等を印字してもよい。
【００３４】
（搬送部１１６）
搬送部１１６は、紙幣を各集積部１１０等の紙幣処理装置１０内の各所へ搬送する。詳細には、搬送部１１６は、図１中では帯状に示され、取込部１００から、鑑別部１０２及び表裏反転部１０８を貫き、集積部１１０等まで連続して設けられ、紙幣が搬送される搬送路（図示省略）と、複数のローラ（図示省略）と、紙幣を案内する複数の切替部（図示省略）とを有する。各ローラは、搬送路を挟んで対向するように配置され、制御部１２４により制御され各ローラが回転することにより、搬送路が所定の方向に移動し、紙幣を搬送することができる。さらに、搬送路に接して設けられた楔形形状の切替部の傾斜方向を変化させることで、紙幣の搬送方向を切り替えることができる。
【００３５】
（操作表示部１１８）
操作表示部１１８は、本実施形態における表示部の一例である。操作表示部１１８は、図１においては、紙幣処理装置１０の上に位置し、操作者と向かい合う。さらに、操作表示部１１８は、紙幣処理装置１０の操作者に対して操作画面等を表示する表示部、及び操作者の操作を受け付ける操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は例えばタッチパネルにより実現される。操作表示部１１８は、後述する制御部１２４の制御に従って、各種の操作画面、計数結果、紙幣の正損状態やエラーメッセージなどを表示し、さらに、操作者による紙幣処理装置１０に対する各種の入力操作（動作モードの設定入力、集積部１１０に集積する紙幣の種類等の設定入力等）を受け付け、受け付けた内容を記憶部１２２及び制御部１２４に出力する。なお、操作表示部１１８の操作部と表示部とは、上述のように、操作機能と表示機能の両方の機能を包含する操作表示部として構成されることに限定されるものではなく、例えば、操作部であるキーボードと表示部であるＣＲＴディスプレイ装置との組み合わせのように、別体のものとして構成されていてもよく、さらに、操作機能及び表示機能を有する各部位又は単一の部位が紙幣処理装置１０の外部に位置していてもよい。
【００３６】
（操作部１２０）
操作部１２０は、本実施形態における操作部の一例である。操作部１２０は、図１においては、紙幣処理装置１０の上に位置する。操作部１２０には、例えば、紙幣処理装置１０を起動させる機械式ボタン（図示省略）、紙幣処理装置１０に障害が生じた場合に紙幣処理装置１０を再稼働させる機械式のリセットボタン（図示省略）等を含むことができる。操作部１２０は、操作者による操作を受け付け、受け付けた内容を記憶部１２２及び制御部１２４に出力する。また、操作部１２０には、紙幣処理装置１０の処理状態を示すランプ（図示省略）が取り付けられており、例えば、当該ランプは、後述する制御部１２４の指示に従い、処理中には緑色に発光し、障害が発生した場合には赤色に発光することができる。なお、これらの操作部１２０の機能は、上述の操作表示部１１８によって実現してもよい。
【００３７】
（記憶部１２２）
記憶部１２２は、例えば紙幣処理装置１０内に設けられ、例えば、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等により構成される。さらに詳細には、記憶部１２２は、後述する制御部１２４により出力された取引内容を記憶したり、事前に設定された検索条件を記憶したり、制御部１２４等が使用する制御プログラムや各種情報を記憶したりする。ここで取引内容とは、操作者によって上述の操作表示部１１８を用いて設定された設定内容、鑑別部１０２による鑑別結果、計数結果および鑑別された紙幣に関する処理状況であり、紙幣処理装置１０により取引された各紙幣に対応付けて記憶部１２２に記憶される。
【００３８】
（制御部１２４）
制御部１２４は、例えば紙幣処理装置１０内に設けられ、ＣＰＵ（Ｃｅｎｔｒａｌ  Ｐｒｏｃｅｓｓｉｎｇ  Ｕｎｉｔ）を中心に構成されており、計数処理等の種々の処理のための制御を行うことができる。制御部１２４は、操作表示部１１８からの入力等に基づいて、記憶部１２２から所定のプログラムを読み出して実行することにより、操作表示部１１８、鑑別部１０２等の紙幣処理装置１０の各所を制御することができる。例えば、制御部１２４は、鑑別部１０２による紙幣の鑑別結果に基づいて、紙幣の金種ごとに紙幣を計数したり、紙幣の搬送先を決定したりすることができる。
【００３９】
なお、本実施形態に係る紙幣処理装置１０においては、図１に図示されていないが、紙幣検知部を紙幣処理装置１０内の搬送部１１６の各所に複数設けてもよい。紙幣検知部は、搬送部１１６における紙幣の搬送状態を検知し、得られた検知結果を制御部１２４に出力する。具体的には、搬送部１１６において紙幣づまりが発生した場合には、紙幣検知部により紙幣づまりを検知し、制御部１２４に出力する。なお、紙幣検知部としては、例えば、紙幣により光が遮られることにより搬送状態を検知する受発光センサからなる光学式センサ等を用いることができる。
【００４０】
＜集積部１１０及び集積部１１０周囲の構成の概要＞
次に、図２及び図３を参照しながら、集積部１１０及び集積部１１０周囲の構造の概要について説明する。図２は、本実施形態に係る集積部１１０の構成例を示した説明図（断面図）であり、詳細には、紙幣の集積方向に沿って集積部１１０を切断した断面を集積部１１０の右側から見た場合の断面図である。図３は、本実施形態に係る集積部１１０の構成例を示した説明図（上面図）であって、詳細には、集積部１１０を上方から見た場合の上面図である。なお、図３においては、わかりやすくするために紙幣ガイド２５０の図示を省略している。
【００４１】
集積部１１０は、先に説明したように、搬送された紙幣を集積方向に沿って集積する部位である。詳細には、集積部１１０は、紙幣を載置する集積ステージ（集積台）２３０の載置面２３２に対して垂直な方向である集積方向に沿って、複数の紙幣を重ねて集積する。図２及び図３に示すように、集積部１１０は、搬送部２００と、集積ステージ２３０と、ボトムプレート２４０と、紙幣ガイド２５０と、シャッタ２６０と、後側整位部材（凹凸状プレート）２８０と、左側整位部材２９０と、右側長手整位部材３００とを主に有する。以下に、集積部１１０及び集積部１１０の周囲の各機能部を説明する。
【００４２】
なお、以下の説明においては、集積部１１０の搬送部２００側、すなわち、紙幣が集積部１１０へ進入する側を集積部１１０の後側とし、紙幣を搬送するために移送部１１２が集積部１１０へ進入する側を集積部の前側とする。また、集積部１１０の左右の方向は、集積部１１０の後側と向かいあうように位置する人物を基準として、当該人物から見て右方向を集積部１１０の右方向、当該人物から見て左方向を集積部１１０の左方向とする。また、集積部１１０の上下方向は、後述する集積ステージ２３０の載置面２３２に対して垂直な方向であり、集積方向に沿った方向である。さらに、例えば、集積部１１０に集積される紙幣は、当該紙幣の長手方向が集積部１１０の左右方向に一致し、且つ、当該紙幣の短手方向が集積部の前後方向に一致するように整位されて集積されることとする。
【００４３】
（搬送部２００）
搬送部２００は、紙幣を集積部１１０に向けて搬送する機構であり、集積部１１０の後ろ側の紙幣の入口に設けられている。搬送部２００は、搬送路２０２と、搬送ローラ２１０と、羽根車２２０とを主に有する。搬送ローラ２１０は、紙幣を集積部１１０へ向けて搬送するためのローラである。搬送ローラ２１０は、搬送ローラ２１０と連結する回転軸（第１の回転軸）２１２を中心にして回転し、搬送路２０２を集積部１１０に向かって動かすことにより、紙幣を集積部１１０へ搬送する。当該回転軸２１２は、後述する羽根車２２０の回転中心でもある。また、羽根車２２０は、集積部１１０に進入した紙幣の後部を上から叩き、紙幣を後述する集積ステージ２３０へ落とし、紙幣を集積ステージ２３０の載置面２３２上へ誘導する。詳細には、羽根車２２０は、上述の搬送ローラ２１０の回転軸２１２に連結し、回転軸２１２に対して放射状に取り付けられた複数の舌片２２２を有し、当該回転軸２１２を中心に舌片２２２が回転する。回転する舌片２２２は、紙幣の後部に当接することにより、紙幣を集積ステージ２３０の載置面２３２上へ叩き落す。
【００４４】
（集積ステージ２３０）
集積ステージ２３０は、集積部１１０内に設けられ、集積部１１０へ進入した紙幣を集積ステージ２３０の載置面２３２上に載置し、複数の紙幣を集積方向に沿って重ねて集積する。集積ステージ２３０は、上下動（昇降）可能に構成されている。詳細には、集積ステージ２３０は、当該集積ステージ２３０及び当該集積ステージ２３０上に集積された紙幣の重さに応じて、上下動するように付勢手段を有していてもよい。もしくは、集積ステージ２３０は、昇降ステッピングモータ等の駆動手段（図示省略）と、駆動を伝達する駆動伝達手段（図示省略）と、集積ステージ２３０上に集積された最上位の紙幣の位置（高さ）を検知する高さ検知センサ（図示省略）とを有し、集積ステージ２３０上に集積した紙幣の量に応じて、上下動するように構成されていてもよい。
【００４５】
（ボトムプレート２４０）
ボトムプレート２４０は、集積ステージ２３０の下方に位置するように設けられており、上下動する集積ステージ２３０の下方への移動を規制する。
【００４６】
（紙幣ガイド２５０）
紙幣ガイド２５０は、集積ステージ２３０の上方に、集積ステージ２３０の載置面２３２に対向するように設けられている。紙幣ガイド２５０は、紙幣が集積部１１０へ進入する際には、集積ステージ２３０の載置面２３２に対して傾いており、進入する紙幣の前側と当接して、紙幣を集積部１１０の下方へ誘導する。また、紙幣ガイド２５０は、集積部１１０が所定の枚数の紙幣を集積した際には、集積された紙幣の最上位の紙幣と当接するように、集積ステージ２３０の載置面２３２に向かって下方に移動してもよく、このようにすることで、紙幣ガイド２５０は、集積した複数の紙幣を上方から押さえつけて整位する。
【００４７】
（シャッタ２６０）
シャッタ２６０は、搬送部２００と反対側、言い換えると、集積部１１０の前側に設けられ、上述した移送部１１２が集積部１１０に集積された施封枚数の紙幣を保持する際に、移送部１１２の進入のために開閉する。すなわち、シャッタ２６０は、集積部１１０の紙幣を集積する際には閉状態にあり、集積した紙幣を移送部１１２が移送する際には開状態にある。また、シャッタ２６０の集積部の内部側（搬送部２００側）の表面には後述する前側整位部材（短手整位部材）２７０が設けられている。さらに、シャッタ２６０は、上述の閉状態において、集積部１１０の前後方向の移動を可能にする機構が設けられていてもよい。シャッタ２６０が前後方向に移動することにより、集積された紙幣を前後方向から前側整位部材２７０と後述する後側整位部材２８０とで挟む込み、紙幣を整位することができる。この動作の詳細については後述する。
【００４８】
シャッタ２６０に設けられた前側整位部材２７０は、集積部１１０に進入した紙幣の前側端（他端）と当接し、紙幣の短手方向を整位する。従って、前側整位部材２７０は、整位した紙幣の前側端の位置である前側基準面４００に沿って、１つ又は複数設けられている。詳細には、前側整位部材２７０は、上述のシャッタ２６０の表面に設置された棒状部材により構成されている。例えば、当該棒状部材は、樹脂材料や、金属材料等から形成されていてもよい。また、当該棒状部材を樹脂材料から形成する場合には、紙幣との摩擦で静電気が生じることを避けるために、導電性の樹脂材料から形成することが好ましい。さらに、前側整位部材２７０は、スプリング等の付勢手段によって、集積部１１０の前後方向に付勢されていてもよい。
【００４９】
さらに、前側整位部材２７０の、紙幣と向かい合う面には、凹凸形状を有する凹凸部２７２が設けられており、当該凹凸部２７２に紙幣の前側端が係合するようになっていてもよい。また、本実施形態においては、前側整位部材２７０は、棒状部材であることに限定されるものではなく、毛足状の部材であるモヘアや、ゴム材料等で構成されていてもよい。しかしながら、モヘア等の部材は劣化しやすいことから、前側整位部材２７０は、樹脂材料等で形成された棒状部材であることが好ましい。
【００５０】
（後側整位部材２８０）
後側整位部材２８０は、集積部１１０の搬送部２００側に設けられ、集積部１１０に集積された紙幣の後側端と当接して、紙幣の短手方向を整位する。後側整位部材２８０は、柱状部材であって、例えば、長手方向が紙幣の集積方向に沿って延びる柱状部材である。後側整位部材２８０の断面が長方形である四角柱である場合には、紙幣の後側端と当接する面２８２の幅（集積部１１０の左右方向に沿った長さ）は、例えば、１０ｍｍから１５ｍｍ程度であることが好ましい。また、集積部１１０の前後方向、すなわち、集積された紙幣の短手方向において、搬送部２００と集積部１１０との間に位置し、整位した紙幣の後側端の位置である後側基準面４０２に沿って１個又は複数設けられている。詳細には、後側整位部材２８０は、羽根車２２０が回転して、羽根車２２０の舌片２２２が紙幣と当接することを妨げないように、集積部１１０の左右方向において、舌片２２２の位置と重ならないように設けられる。具体的には、集積部１１０に進入した紙幣は、上述の前側整位部材２７０と後側整位部材２８０とに、集積部１１０の前後方向（紙幣の短手方向）から挟まれることにより、当該紙幣の短手方向が整位される。
【００５１】
（左側整位部材２９０）
左側整位部材２９０は、集積部１１０の左側に設けられ、集積部１１０に進入した紙幣の左側端と当接して、紙幣の長手方向を整位する。従って、左側整位部材２９０は、整位した紙幣の左側端の位置である左側基準面４０４に沿って設けられている。
【００５２】
（右側整位部材３００）
右側整位部材（長手整位部材）３００は、集積部１１０の右側に設けられ、回転して、集積部１１０に進入した紙幣の右側端（紙幣の長手方向の一端）と当接して、紙幣の長手方向を整位する。詳細には、右側整位部材３００は、モータ（図示省略）と、集積部１１０の右側（紙幣の長手方向の一端側）に設けられた回転軸（第２の回転軸）３０２と、回転軸３０２と連結した連結部材３０４と、連結部材３０４の端部に設けられた整位部材３０６とを有する。具体的には、モータ（図示省略）により、回転軸３０２を中心に連結部材３０４が回転する。この回転により、連結部材３０４の一方の端部に設けられた整位部材３０６が集積部１１０に進入した紙幣の右側端に当接する。さらに、整位部材３０６と当接した紙幣の左側端（紙幣の長手方向の他端）は、右側整位部材３００とは反対側に設けられた左側整位部材２９０に当接することから、紙幣の長手方向が整位される。右側整位部材３００を回転可能な構成にすることにより、長手方向の長さが異なる様々な紙幣を短時間で容易に整位することが可能である。また、右側整位部材３００をシンプルな構成にしつつ、容易に整位することを可能にする。さらに、整位部材３０６の紙幣と当接する面には、凹凸形状を有する凹凸部３０８を設け、当該凹凸部３０８に紙幣の右側端が係合するようになっていてもよい。
【００５３】
従って、上述のような集積部１１０は、紙幣の集積の際には以下のように動作する。まず、搬送部１１６により搬送された紙幣は、搬送部２００の搬送ローラ２１０により、横から見ると（集積部１１０の右側又は左側から見ると）波状の曲がった状態で集積部１１０へ進入する。そして、紙幣は、搬送ローラ２１０により集積部１１０の前側に送られることにより、紙幣の前側端（紙幣の短手方向の他端）は、紙幣ガイド２５０に当接する。そして、紙幣は、紙幣ガイド２５０の面を前側端でなぞるように下方に移動し、当該前側端は前側整位部材２７０に到達する。さらに、前側整位部材２７０に到達した紙幣は、前側整位部材２７０により動きを規制されることから前側への推進力を失い、自由落下する。同時に、羽根車２２０が回転軸３０２を中心として回転することにより、羽根車２２０の舌片２２２が上記紙幣の後側を叩き、当該紙幣は集積ステージ２３０の載置面２３２上へ落下する。そして、それと同じタイミングで、紙幣は、右側整位部材３００の整位部材３０６により、左側基準面４０４側へ叩かれることにより、紙幣の長手方向は整位される。従って、紙幣は、整位した状態で集積ステージ２３０の載置面２３２上に集積される。
【００５４】
＜本発明に至る経緯＞
次に、本発明者が、本発明の実施形態を創作するに至る経緯について、図４を参照して説明する。図４は、紙幣Ｂの隙間Ｇへの入り込みを説明するための説明図であって、図２と同様に、紙幣Ｂの集積方向に沿って集積部１１０を切断した断面を集積部１１０の右側から見た場合の断面図である。
【００５５】
先に説明したように、上述の集積部１１０においては、集積ステージ２３０が上下方向に移動することから、搬送部２００と集積ステージ２３０との間には、集積ステージ２３０の移動を可能にするための隙間Ｇが存在する。当該隙間Ｇは、例えば、集積部１１０の前後方向に沿って１ｍｍ程度の幅を有する狭い隙間（遊び）である。しかしながら、紙幣Ｂが集積部１１０へ進入し、羽根車２２０により叩き落とされる際に、０．１ｍｍ程度の厚みを持つ紙幣Ｂは、図４に示すように、上述の隙間Ｇに入り込むことがある。詳細には、羽根車２２０の舌片２２２から紙幣Ｂに対して強く力がかかった場合には、羽根車２２０の回転方向に従って紙幣Ｂが落下するため、紙幣Ｂは上記隙間Ｇに入り込みやすくなる。より具体的には、以下のような場合に、紙幣Ｂの隙間Ｇへの入り込みが生ずることがある。紙幣Ｂの整位を効率よく行うために羽根車２２０のトルクを強くして、紙幣Ｂの後端部に舌片２２２から強い力がかかるようにした場合や、集積ステージ２３０の載置面２３２上に多くの紙幣Ｂが集積され、集積された紙幣Ｂの最上位に位置する紙幣Ｂに羽根車２２０の舌片２２２からの力が強くかかりやすくなった場合である。そして、紙幣Ｂが上記隙間Ｇに入り込んだ場合には、整位した状態で紙幣Ｂを集積ステージ２３０の載置面２３２上に集積できなくなる。
【００５６】
そこで、本発明者は、上記事情を一着眼点にして本発明の実施形態を創作するに至った。詳細には、本発明者は、上述の後側整位部材２８０の、紙幣Ｂの後側端（紙幣Ｂの短手方向の一端）と当接する面２８２に後述する凹凸部（第１の凹凸部）２８４を設けることにより、上記隙間Ｇへの紙幣Ｂの入り込みを防ぎ、紙幣Ｂを整位した状態で集積することができる本発明の実施形態を創作した。以下、このような本発明の第１の実施形態に係る詳細構成を順次説明する。
【００５７】
＜第１の実施形態に係る後側整位部材２８０の詳細構成＞
以下に、図５から図７を参照して、本発明の実施形態に係る後側整位部材２８０の詳細構成を説明する。図５は、本実施形態に係る後側整位部材２８０の構成例を示した説明図である。図６は、本実施形態に係る後側整位部材２８０ａの他の構成例を示した説明図である。図７は、本実施形態に係る後側整位部材２８０の設置位置の一例を説明するための説明図であって、詳細には、集積部１１０を上方から見た場合の上面図である。なお、図７においては、わかりやすくするために紙幣ガイド２５０及び右側整位部材３００の図示を省略している。
【００５８】
図５に示すように、本実施形態に係る後側整位部材２８０は、長手方向が紙幣の集積方向に沿って延びる柱状部材であって、後側整位部材２８０の、集積された紙幣Ｂと向かい合う面２８２、すなわち当該紙幣Ｂの後側端と当接する面２８２には、凹凸形状を有する凹凸部２８４が設けられている。図５に示す凹凸部２８４は、後側整位部材２８０を集積部１１０の右側から見ると、短い上底が集積部１１０の後側に、長い下底が集積部１１０の前側に位置するような台形状の切欠が、複数整列することにより構成されている。なお、本実施形態においては、当該凹凸部２８４の凹凸の形状は、図５に示すような形態に限定されるものではなく、紙幣Ｂと係合することができる凹凸形状を持つものであれば特に限定されるものではない。例えば、図６に示すように、後側整位部材２８０ａの変形例のように、三角形状の切欠が複数整列することにより構成される凹凸部２８４ａであってもよい。そして、羽根車２２０の舌片２２２に押圧された紙幣Ｂの後側端が当該凹凸部２８４、２８４ａに噛合うことにより、上述の隙間Ｇへ紙幣Ｂが入り込むことを防ぐことができる。
【００５９】
後側整位部材２８０は、凹凸部２８４の加工性から、樹脂材料で形成することが好ましいが、本実施形態においては、これに限定されるものではなく、金属材料等の他の材料で形成されてもよい。また、後側整位部材２８０を樹脂材料で形成する場合には、紙幣Ｂとの摩擦で静電気を生じることがないように、導電性の樹脂材料から形成することが好ましい。
【００６０】
また、後側整位部材２８０の、紙幣Ｂの後側端と当接する面２８２の幅は、紙幣Ｂと噛合う効果を最適化するために適宜変更することができる。具体的には、当該面２８２の幅は、１０ｍｍから１５ｍｍ程度であることが好ましい。さらに、後側整位部材２８０は、集積部１１０から取り外し可能なように取り付けられることが好ましく、このようにすることで、例えば凹凸部２８４が摩耗した場合や汚れた場合には、容易に後側整位部材２８０を交換することができる。
【００６１】
また、図７に示すように、羽根車２２０の舌片２２２からの押圧に起因して紙幣Ｂが隙間Ｇに入り込むことを考慮すると、後側整位部材２８０は、集積部１１０の左右方向、すなわち紙幣Ｂの長手方向において隣接する位置に設けられることが好ましい。さらに、後側整位部材２８０は、集積された紙幣Ｂの長手方向、すなわち、集積部１１０の左右方向において、前側整位部材２７０の設置位置と重ならないように設けられることが好ましい。このようにすることで、前側整位部材２７０と後側整位部材２８０とが紙幣Ｂの前側端と後側端とにそれぞれ当接して紙幣Ｂを支持し、適切に紙幣Ｂを整位することができる。
【００６２】
従って、上述のような集積部１１０は、紙幣Ｂの集積の際には以下のように動作する。まず、先に説明したように、搬送部１１６により搬送された紙幣Ｂは、集積部１１０へ進入し、紙幣Ｂの前側端は、紙幣ガイド２５０に当接する。そして、紙幣Ｂは、紙幣ガイド２５０の面をその前側端でなぞるように下方に移動することにより、当該前側端は前側整位部材２７０に到達する。さらに、前側整位部材２７０に到達した紙幣Ｂは、紙幣ガイド２５０により前側への推進力を失い、自由落下すると同時に、羽根車２２０が回転して、羽根車２２０の舌片２２２が紙幣Ｂの後側を叩くことにより、当該紙幣Ｂは集積ステージ２３０の載置面２３２上へ落下する。この際、紙幣Ｂの後側端が後側整位部材２８０の凹凸部２８４に噛合って紙幣Ｂが後側整位部材２８０により支持されることにより、紙幣Ｂが隙間Ｇに入り込むことを防ぐことができる。
【００６３】
以上のように、本実施形態によれば、後側整位部材２８０の凹凸部２８４が紙幣Ｂの後側端と噛合うことにより、後側整位部材２８０が紙幣Ｂを支持することができることから、紙幣Ｂを整位して集積する際に、搬送部２００と集積ステージ２３０との間の隙間Ｇに紙幣Ｂが入り込むことを防止することができる。そして、紙幣Ｂが隙間Ｇに入り込むことを避けることはできることから、適切に紙幣Ｂを整位して、集積することができる。例えば、下方に折れ曲がった癖のついた紙幣Ｂを集積する際には、当該紙幣Ｂの隙間Ｇへの入り込みが生じやすいことがあったが、本実施形態においては、下方に折れ曲がった癖のついた紙幣Ｂであっても隙間Ｇへの入り込みを防止することができる。さらに、後側整位部材２８０だけでなく、前側整位部材２７０にも凹凸部２７２を設けた場合には、紙幣Ｂを前後方向（短手方向）から後側整位部材２８０及び前側整位部材２７０で挟み込み、後側整位部材２８０の凹凸部２８４と前側整位部材２７０の凹凸部２７２とで紙幣Ｂを支持することができることから、紙幣Ｂが隙間Ｇに入り込む（滑り込む）ことによる整位状態からのずれをより防止することができる。
【００６４】
さらに、本実施形態は、従来の集積部１１０を大幅に改変することなく実現することができることから、集積部１１０の改変に係るコスト等を抑えることができる。
【００６５】
＜変形例＞
これまで説明した第１の実施形態においては、図７に示すように、集積部１１０の後側整位部材２８０は２個設けられている。しかしながら、本実施形態においては、このように２個の後側整位部材２８０を設けることに限定されるものではない。例えば、第１の実施形態の変形例に係る集積部１１０ａの構成例を示した説明図（上面図）である図８に示すように、本実施形態においては、集積部１１０ａに４個の後側整位部材２８０を設けてもよい。詳細には、４個の後側整位部材２８０は、羽根車２２０の舌片２２２の近傍に設けられており、より具体的には、４個の後側整位部材２８０は、集積部１１０の左右方向において、舌片２２２と搬送ローラ２１０とに挟まれるようにして設けられている。すなわち、本実施形態においては、１個以上の後側整位部材２８０を設ければよく、後側整位部材２８０の数については特に限定されない。
【００６６】
また、図７及び図８に示すように、集積部１１０に複数の後側整位部材２８０を設けた場合には、その一部を凹凸部２８４が設けられた後側整位部材２８０とし、残りの後側整位部材２８０には、凹凸部２８４が設けられていなくてもよい。
【００６７】
さらに、本実施形態では、後側整位部材２８０においては、後側整位部材２８０を集積方向に対して垂直な方向に切断した場合の断面が、四角形であることに限定されるものではなく、三角形以上の多角形、円、又は楕円状であってもよい。すなわち、紙幣Ｂの隙間Ｇへの入り込みを効果的に防止するように、後側整位部材２８０の、紙幣Ｂの後側端に当接する面２８２の広さや形を最適化するために、後側整位部材２８０の全体的な形状を適宜変更してもよい。
【００６８】
以上のように、本実施形態においては、後側整位部材２８０の数、設置位置、形状等は、特に限定されるものではなく、紙幣Ｂの隙間Ｇへの入り込みを防止するために、紙幣Ｂと係合する度合い等を最適化しつつ、集積部１１０の他の部品の動作を妨害することのないように、適宜変更することができる。
【００６９】
また、後側整位部材２８０は、紙幣Ｂの後側端に当接する面２８２に凹凸部２８４を設ける代わりに、ゴム部材を設けてもよく、もしくは、毛足状部材（モヘア）を設けてもよい。このようにすることで、紙幣Ｂの集積の際に、紙幣Ｂの後側端がゴム部材又は毛足状部材に係合するために、上述の隙間Ｇに紙幣Ｂが入り込むことを防ぐことができる。しかしながら、ゴム部材や毛足状部材は、それを構成する材料の性質により使用中に劣化しやすいことから、上述の凹凸部２８４を有する後側整位部材２８０を採用することが好ましい。
【００７０】
＜＜第２の実施形態＞＞
次に、回転する右側整位部材３００に押圧されることに起因して回転する紙幣Ｂの隙間Ｇへの入り込みを防止することができる、本発明の第２の実施形態を説明する。
【００７１】
詳細には、本実施形態に係る集積部１１０においては、先に説明したように、紙幣Ｂの長手方向を整位するために、回転して紙幣Ｂの右側端に当接する右側整位部材３００を用いている。このような回転する右側整位部材３００を用いることにより、集積部１１０の構成をシンプル、且つ、コンパクトにしつつ、短時間で効率的に紙幣Ｂの長手方向を整位することができる。しかしながら、右側整位部材３００は、回転することにより紙幣Ｂの右側端と当接することから、右側整位部材３００からは、紙幣Ｂに対しては斜め方向（紙幣Ｂの長手方向に対して傾いた方向）の力がかかることとなる。このような力により、紙幣Ｂが右側整位部材３００の回転方向に沿って回転した場合には、紙幣Ｂの角や先端が上述の隙間Ｇに入り込むことがあった。そして、紙幣Ｂが隙間Ｇに入り込んだ場合には、上述と同様に、紙幣Ｂを整位した状態で集積ステージ２３０の載置面２３２上に集積することはできない。
【００７２】
そこで、本発明者は、上記事情を一着眼点にして本発明の第２の実施形態を創作するに至った。詳細には、第２の実施形態においては、上述の後側整位部材２８０にさらなる凹凸部（第２の凹凸部）２８８を設けることにより、紙幣Ｂの回転に起因する隙間Ｇへの紙幣Ｂの入り込みを防ぎ、紙幣Ｂを整位した状態で集積することができる。以下、このような第２の実施形態に係る詳細構成を順次説明する。なお、第２の実施形態においては、後側整位部材２８０以外の構成については、第１の実施形態と共通であり、第１の実施形態の集積部１１０の構成の説明を参照し得る。したがって、ここでは、本実施形態に係る後側整位部材２８０ｂのみを説明し、他の構成についての説明を省略する。
【００７３】
＜本実施形態に係る後側整位部材２８０ｂの詳細構成＞
以下に、図９及び図１０を参照して、本実施形態に係る後側整位部材２８０ｂの詳細構成を説明する。図９は、本実施形態に係る後側整位部材２８０ｂの構成例を示した説明図（上面図）であって、詳細には、集積部１１０を上方から見た場合の上面図である。なお、図９においては、わかりやすくするために紙幣ガイド２５０の図示を省略している。また、図１０は、本実施形態に係る後側整位部材２８０ｂの構成例を示した説明図（斜視図）である。
【００７４】
図９に示すように、集積部１１０に設けられた２個の後側整位部材２８０ｂは、後側整位部材２８０ｂが四角柱であった場合に搬送部２００とは反対側に位置する２つの角の位置に、集積部１１０の上方から見て、集積された紙幣Ｂの後側端の辺に対して傾いた面である面取部２８６が設けられている。従って、後側整位部材２８０ｂの集積方向に対して垂直な方向に切断した場合の断面は、６角形となる。この面取部２８６は、右側整位部材３００に押圧されることに起因して回転する紙幣Ｂに当接する面となる。
【００７５】
さらに、図１０に示すように、後側整位部材２８０ａの、紙幣Ｂの後側端と当接する面２８２には、第１の実施形態と同様に凹凸部２８４が設けられている。さらに、当該後側整位部材２８０ａの面取部２８６にも、凹凸形状を有する凹凸部２８８が設けられている。図１０に示す凹凸部２８８は、矩形状の切欠が複数整列することにより構成されている。なお、本実施形態においては、当該凹凸部２８８の凹凸の形状は、図１０に示すような形態に限定されるものではなく、第１の実施形態と同様に、紙幣Ｂと係合することができる凹凸形状を持つものであれば特に限定されるものではない。
【００７６】
すなわち、本実施形態においては、右側整位部材３００に押圧されることに起因して回転する紙幣Ｂに当接する面である面取部２８６にも凹凸部２８８を設けることにより、紙幣Ｂが回転した場合であっても、紙幣Ｂの集積の際に当該凹凸部２８８と紙幣Ｂとが係合することにより、紙幣Ｂが上述の隙間Ｇへ紙幣が入り込むことを防ぐことができる。
【００７７】
なお、右側整位部材３００に押圧されることによる紙幣Ｂの回転を考慮した場合、面取部２８６及び凹凸部２８８は、右側整位部材３００から遠い位置、言い換えると、集積部１１０の左側に位置する後側整位部材２８０ｂに少なくとも設けられることが好ましい。すなわち、本実施形態においては、１個以上の後側整位部材２８０に面取部２８６及び凹凸部２８８が設けられていればよく、面取部２８６及び凹凸部２８８を有する後側整位部材２８０の数については特に限定されない。また、図９においては、凹凸部２８８が設けられる面取部２８９は、後側整位部材２８０ｂが四角柱であった場合に搬送部２００とは反対側に位置する２つの角の位置に設けられているが、本実施形態はこれに限るものではない。例えば、凹凸部２８８が設けられる面取部２８９は、後側整位部材２８０ｂが四角柱であった場合に搬送部２００とは反対側に位置する２つの角のいずれかの一方の位置に設けられていてもよく、右側整位部材３００に押圧されることによる紙幣Ｂの回転を考慮した場合、当該２つの角のうち右側整位部材３００に近い側の角に設けられることがより好ましい。
【００７８】
＜変形例＞
また、本実施形態においては、後側整位部材２８０ｃは、図１０の形態に限定されるものではなく、本実施形態の変形例に係る後側整位部材２８０ｃの構成例を示した説明図である図１１に示すように例えば円柱状であってもよい。例えば、図１１の例においては、後側整位部材２８０ｃの、右側整位部材３００からの押圧により右側整位部材３００の回転方向に沿って移動する紙幣Ｂと当接する円周面２９２の一部に、上述の凹凸部２４４と凹凸部２８８との機能を併せ持った凹凸部２８８ａが設けられている。
【００７９】
また、本実施形態では、第１の実施形態と同様に、後側整位部材２８０ｂにおいては、後側整位部材２８０ｂを集積方向に対して垂直な方向に切断した場合の断面が、多角形、円、又は楕円状であってもよい。より具体的には、例えば、本実施形態の変形例に係る後側整位部材２８０ｄ、２８０ｅの他の構成例を示した説明図である図１２に示すように、後側整位部材２８０ｄの、集積方向に対して垂直な方向に切断した場合の断面は楕円であってもよく（図１２（ａ）参照）、もしくは、後側整位部材２８０ｅの、集積方向に対して垂直な方向に切断した場合の断面は水滴状であってもよい（図１２（ｂ）参照）。例えば、図１２（ａ）に示す楕円の断面の後側整位部材２８０ｄについては、当該楕円の長軸が集積部１１０の前後方向に沿うように配置される。また、例えば、図１２（ｂ）に示す水滴状の断面の後側整位部材２８０ｅについては、当該水滴の頂点が集積部１１０の前後方向に沿うように配置される。そして、これら後側整位部材２８０ｄ、２８０ｅの側面、言い換えると、紙幣Ｂと当接する面の一部には、上述の凹凸部２８８ａが設けられることとなる。すなわち、本実施形態においては、第１の実施形態と同様に、後側整位部材２８０の形状は、特に限定されるものではない。
【００８０】
本実施形態においては、第１の実施形態と同様に、後側整位部材２８０の数、設置位置、形状等は、特に限定されるものではなく、紙幣Ｂの隙間Ｇへの入り込みを防止するために、紙幣Ｂと係合する度合い等を最適化しつつ、集積部１１０の他の部品の動作を妨害することのないように、適宜変更することができる。
【００８１】
＜＜第３の実施形態＞＞
以下に、本発明の第３の実施形態として、上述した実施形態に係る集積部１１０の紙幣Ｂの集積の際の動作について、図１３を用いて説明する。図１３は、本実施形態に係る集積部１１０の動作を説明するための説明図である。なお、図１３においては、見やすくするために、前側整位部材２７０の凹凸部２７２及び後側整位部材２８０の凹凸部２８４の図示を省略している。
【００８２】
まず、図１３（ａ）に示すように、紙幣Ｂが集積部１１０へ進入する際には、前側整位部材２７０と後側整位部材２８０との間の集積部１１０の前後方向における距離Ｄを集積する紙幣Ｂの短手方向の長さに比べて若干狭くする。例えば、前側整位部材２７０と後側整位部材２８０との間の集積部１１０の前後方向における距離Ｄを、紙幣Ｂの短手方向の長さに対して１ｍｍ程度狭くする。このような状態で、集積部１１０が紙幣Ｂを集積した場合には、前側整位部材２７０と後側整位部材２８０との間の集積部１１０の前後方向における距離Ｄを受け入れる紙幣Ｂの短手方向の長さに比べて若干狭いことから、紙幣Ｂは、前側整位部材２７０と後側整位部材２８０とに挟まれ、横から見ると（集積部１１０の右側又は左側から見ると）曲がった状態で集積される。この際、紙幣Ｂの前側端は前側整位部材２７０の凹凸部２７２（図示省略）と係合し、紙幣Ｂの後側端は、後側整位部材２８０の凹凸部２８４（図示省略）と係合する。
【００８３】
さらに、集積部１１０は紙幣Ｂを集積する。集積部１１０に集積された複数の紙幣Ｂは、上述と同様に、前側整位部材２７０と後側整位部材２８０の凹凸部２７２、２８４と係合し、曲がった状態で集積される。
【００８４】
次に、集積部１１０は、上述のような状態で所定の枚数（例えば３から５枚程度）の紙幣Ｂを集積した後に、前側整位部材２７０と後側整位部材２８０との間の集積部１１０の前後方向における距離Ｄを、集積する紙幣Ｂの短手方向と同じ長さにする、もしくは、集積する紙幣Ｂの短手方向の長さに対して若干広くする。詳細には、図１３（ｂ）に示すように、上述の制御部１２４により、シャッタ２６０を集積部１１０の前後方向に移動させることにより、前側整位部材２７０と後側整位部材２８０との間の集積部１１０の前後方向における距離Ｄを、図１３（ａ）に示す状態に比べて広くする。
【００８５】
上述のようにすることで、図１３（ｃ）に示されるように、集積された複数の紙幣Ｂは自重により下方へ落下し、集積方向に沿って重なるように集積されることとなる。
【００８６】
さらに、新たに集積部１１０に紙幣を集積するために、前側整位部材２７０と後側整位部材２８０との間の集積部１１０の前後方向における距離Ｄを、再度集積する紙幣Ｂの短手方向の長さに比べて若干狭くする。すなわち、図１３（ａ）、図１３（ｂ）、図１３（ｃ）を繰り返し行い、前側整位部材２７０と後側整位部材２８０との間の集積部１１０の前後方向における距離Ｄを狭くしたり、広くしたりすることを繰り返す。このように繰り返すことにより、集積部１１０は、紙幣Ｂを集積方向に沿った状態で整位して集積することができる。
【００８７】
なお、第１から第３の実施形態及びこれらの変形例においては、左側整位部材２９０と集積ステージ２３０との間に、上述した後側整位部材２８０の凹凸部２８４のような凹凸部を有する凹凸状プレートが設けられていてもよい。当該凹凸状プレートを設けることにより、左側整位部材２９０と集積ステージ２３０との間の隙間に紙幣が入り込むことを防ぎ、紙幣を整位した状態で集積することができる。
【００８８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８９】
１０  紙幣処理装置
１００  取込部
１０２  鑑別部
１０４  リジェクトポケット
１０６、１０６ａ、１０６ｂ  オープンポケット
１０８  表裏反転部
１１０、１１０ａ  集積部
１１２  移送部
１１２ａ  クランプ部
１１４  施封部
１１６、２００  搬送部
１１８  操作表示部
１２０  操作部
１２２  記憶部
１２４  制御部
１２８  扉
１５０  ローラ
１５４  収納空間
１５６  ガイド
１５８  ビルプレス
１６０  排出口
２００  搬送部
２０２  搬送路
２１０  搬送ローラ
２１２、３０２  回転軸
２２０  羽根車
２２２  舌片
２３０  集積ステージ
２３２  載置面
２４０  ボトムプレート
２５０  紙幣ガイド
２６０  シャッタ
２７０  前側整位部材
２７２、２８４、２８４ａ、２８８、２８８ａ、３０８  凹凸部
２８０、２８０ａ〜ｅ  後側整位部材
２８２  面
２８６  面取部
２９０  左側整位部材
２９２  円周面
３００  右側整位部材
３０４  連結部材
３０６  整位部材
４００  前側基準面
４０２  後側基準面
４０４  左側基準面
Ｂ  紙幣
Ｇ  隙間
【図１】
2018052669.tif 000003
【図２】
2018052669.tif 000004
【図３】
2018052669.tif 000005
【図４】
2018052669.tif 000006
【図５】
2018052669.tif 000007
【図６】
2018052669.tif 000008
【図７】
2018052669.tif 000009
【図８】
2018052669.tif 000010
【図９】
2018052669.tif 000011
【図１０】
2018052669.tif 000012
【図１１】
2018052669.tif 000013
【図１２】
2018052669.tif 000014
【図１３】
2018052669.tif 000015